(57)【特許請求の範囲】
【請求項１】
表示部と、入力を受け付ける入力部とを備える携帯端末装置であって、
前記携帯端末装置が使用されているか否かを判断する判断部と、
メール受信の発生を検出する検出部と、
少なくとも前記検出部により検出されたメール受信の発生を報知する報知態様、及び、前記報知態様の切替の有無を記憶する記憶部と、
前記検出部によって前記メール受信の発生が検出された場合、前記記憶部に報知された報知態様にてメール受信の発生を報知する実行部と、を備え、
前記実行部はさらに、前記検出部によりメール受信の発生が検出され、かつ、前記報知態様の切替が有に設定されている場合に、前記判断部により前記携帯端末装置が使用されていると判断されたとき、少なくとも前記表示部に情報を表示することにより前記メール受信の発生を報知し、
前記検出部によりメール受信があることが検出され、かつ、前記報知態様の切替が有に設定されている場合であって、前記判断部により前記携帯端末装置が使用されていないと判断されたときは、前記表示部に情報を表示することによる報知を行わない、携帯端末装置。
【請求項２】
前記記憶部に記憶される前記報知態様には、第１報知態様、及び、第１報知態様とは異なり少なくとも前記表示部に情報を表示することにより報知を行う第２報知態様とを含み、前記検出部によりメール受信の発生が検出され、かつ、前記報知態様の切替が無に設定されている場合には、前記実行部は前記第１報知態様にて前記メール受信の発生を報知し、前記検出部によりメール受信の発生が検出され、かつ、前記報知態様の切替が有に設定された場合に、前記判断部により前記携帯端末装置が使用されていると判断されたときは、前記実行部は前記第２報知態様にて前記メール受信の発生を報知することを特徴とする請求項１に記載の携帯端末装置。
【請求項３】
前記表示部を備える第１筐体と、
少なくとも前記入力部を備える第２筐体と、
第１筐体と、第２筐体とを開閉可能に接続する開閉部と、
前記開閉部により前記第１筐体と前記第２筐体が開状態なったか、もしくは閉状態となったかを検出する開閉検出部と、
前記判断部はさらに、前記開閉検出部が検出した結果に基づき、前記携帯端末装置が使用されているか否かを判断することを特徴とする請求項１乃至２のいずれかに記載の携帯端末装置。
【請求項４】
所定時間の経過を計測するタイマ部を備え、
前記判断部はさらに、前記タイマ部が計測した結果に基づき、前記入力部が入力を受け付けてから所定時間が経過するまでを前記携帯端末装置が使用されていると判断することを特徴とする請求項１乃至３のいずれかに記載の携帯端末装置。
【請求項５】
前記判断部はさらに、前記表示部に備えられたバックライトが点灯しているとき、前記携帯端末装置が使用されていると判断することを特徴とする請求項１乃至３のいずれかに記載の携帯端末装置。
【請求項６】
振動する振動部と、
音を出力する音出力部と、を備え、
前記第１報知態様とは、少なくとも前記音出力部からの音の出力、もしくは、前記振動部からの振動による報知の態様であり、
前記第２報知態様とは、前記音出力部からの音の出力、及び、前記振動部からの振動を行わずに、前記表示部に情報を表示する報知の態様であることを特徴とする請求項２に記載の携帯端末装置。
【請求項７】
表示部と、入力を受け付ける入力部とを備える携帯端末装置であって、
前記携帯端末装置が使用されているか否かを判断する判断部と、
メール受信の発生を検出する検出部と、
少なくとも前記検出部により検出されたメール受信の発生を報知する報知態様、及び、前記報知態様の切替の有無を記憶する記憶部と、
前記検出部によって前記メール受信の発生が検出された場合、前記記憶部に報知された報知態様にてメール受信の発生を報知する実行部と、を備え、
前記実行部はさらに、前記検出部によりメール受信の発生が検出され、かつ、前記報知態様の切替が有に設定されている場合に、前記判断部により前記携帯端末装置が使用されていると判断されたとき、少なくとも前記表示部に情報を表示することにより前記メール受信の発生を報知し、
前記検出部によりメール受信があることが検出され、かつ、前記報知態様の切替が有に設定されている場合であって、前記判断部により前記携帯端末装置が使用されていないと判断されたときは、報知を行わない、携帯端末装置。
【請求項８】
前記判断部はさらに、少なくとも特定機能が実行されているか否かを判断し、
前記判断部により前記携帯端末装置が使用されていると判断された場合に、前記特定機能が実行されていると判断されたとき、前記特定機能の終了後に前記第２報知態様にて前記メール受信の報知を実行することを特徴とする請求項２に記載の携帯端末装置。
【請求項９】
画像を撮影する撮影部をさらに備え、
前記記憶部はさらに前記撮影部が撮影した画像を記憶し、
前記特定機能は前記撮影部による画像の撮影機能であることを特徴とする請求項８に記載の携帯端末装置。
【請求項１０】
表示部と、入力を受け付ける入力部とを備える携帯端末装置に備えられるプロセッサに、前記携帯端末が使用されているか否かを判断する判断処理と、
メール受信の発生を検出する検出処理と、
少なくとも前記検出処理により検出されたメール受信の発生を報知する報知態様、及び、前記報知態様の切替の有無を記憶する記憶処理と、
前記検出処理によって前記メール受信の発生が検出された場合、前記記憶処理にて記憶された報知態様にて報知を実行する実行処理と、を備え、
前記実行処理においてさらに、前記検出処理によりメール受信の発生が検出され、かつ、報知の切替が有に設定されている場合に、前記判断処理により前記携帯端末装置が使用されていると判断されたときは少なくとも前記表示部に情報を表示することにより報知する報知処理とを実行させ、
前記検出処理によりメール受信があることが検出され、かつ、前記報知態様の切替が有に設定されている場合であって、前記判断処理により前記携帯端末装置が使用されていないと判断されたときは、前記表示部に情報を表示することによる報知を行わない処理を実行させる、メール受信報知プログラム。
【請求項１１】
表示部と、入力を受け付ける入力部とを備える携帯端末装置に備えられるメール受信報知方法であって、
前記携帯端末が使用されているか否かを判断する判断し、
メール受信の発生を検出し、
少なくとも前記検出により検出されたメール受信の発生を報知する報知態様、及び、前記報知態様の切替の有無を記憶し、
前記検出によって前記メール受信の発生が検出された場合、前記記憶された報知態様にて前記メール受信の発生を報知し、
前記メール受信の発生が検出され、かつ、報知の切替が有に設定されている場合に、前記携帯端末装置が使用されていると判断されたときは、少なくとも前記表示部に情報を表示することにより報知し、
メール受信があることが検出され、かつ、前記報知態様の切替が有に設定されている場合に、前記携帯端末装置が使用されていないと判断されたときは、前記表示部に情報を表示することによる報知を行わない、メール受信報知方法。
【発明の詳細な説明】
【技術分野】
【０００１】
本発明は、携帯電話機やＰＤＡ（Personal Digital Assistant）、タブレットＰＣ（Tablet Personal Computer）、電子書籍端末、携帯ゲーム機等の携帯端末装置に関するものである。
【背景技術】
【０００２】
従来から携帯端末装置においてアラームやメール受信などのイベントの報知方法に関して様々な技術が提案されている。例えば特許文献１には、携帯電話機がアラームを報知している場合に、携帯電話機を所定の開状態とするとアラームの報知を停止する技術が記載されている。
【先行技術文献】
【特許文献】
【０００３】
【特許文献１】特開２００６−７４５８２公報
【発明の概要】
【発明が解決しようとする課題】
【０００４】
しかしながら、特許文献１に記載のように携帯電話機を所定の開状態とすることでアラームを停止する場合、ユーザーが携帯電話機をポケットなどにしまっている場合、アラームを停止までに時間を要する。そのため、携帯電話機が音を出力することによりイベントを報知するのであれば、音の出力が周囲に害悪を及ぼす虞がある。
【０００５】
本発明は、上記した課題に鑑みてなされたものであり、状況に応じて報知態様を変更してイベントの発生を報知することができる携帯電話機を提供することができる。
【課題を解決するための手段】
【０００６】
上記した課題を解決する本発明の実施例について説明する。本発明に係る第１の態様の携帯端末装置は、表示部と、入力を受け付ける入力部とを備える携帯端末装置であって、前記携帯端末装置が使用されているか否かを判断する判断部と、イベントの発生を検出する検出部と、少なくとも前記検出部により検出されたイベントの発生を報知する報知態様、及び、前記報知態様の切替の有無を記憶する記憶部と、前記検出部によって前記イベントの発生が検出された場合、前記記憶部に報知された報知態様にてイベントの発生を報知する実行部と、を備え、前記実行部はさらに、前記検出部によりイベントの発生が検出され、かつ、前記報知態様の切替が有に設定されている場合に、前記判断部により前記携帯端末装置が使用されていると判断されたとき、少なくとも前記表示部に情報を表示することにより前記イベントの発生を報知する。
【０００７】
本発明に係る携帯端末装置はさらに、前記記憶部に記憶される前記報知態様には、第１報知態様、及び、第１報知態様とは異なり少なくとも前記表示部に情報を表示することにより報知を行う第２報知態様とを含み、前記検出部によりイベントの発生が検出され、かつ、前記報知態様の切替が無に設定されている場合には、前記実行部は前記第１報知態様にて前記イベントの発生を報知し、前記検出部によりイベントの発生が検出され、かつ、前記報知態様の切替が有に設定された場合に、前記判断部により前記携帯端末装置が使用されていると判断されたときは、前記実行部は前記第２報知態様にて前記イベントの発生を報知するよう構成される。
【０００８】
本発明に係る携帯端末装置はさらに、前記表示部を備える第１筐体と、少なくとも前記
入力部を備える第２筐体と、第１筐体と、第２筐体とを開閉可能に接続する開閉部と、前記開閉部により前記第１筐体と前記第２筐体が開状態となったか、もしくは閉状態となったかを検出する開閉検出部と、前記判断部はさらに、前記開閉検出部が検出した結果に基づき、前記携帯端末装置が使用されているか否かを判断するよう構成される。
【０００９】
本発明に係る携帯端末装置はさらに、前記検出部が検出するイベントには、少なくともアラーム報知もしくはメール受信の報知のうちいずれか一方が含まれるよう構成される。
【００１０】
本発明に係る携帯端末装置はさらに、所定時間の経過を計測するタイマ部を備え、前記判断部はさらに、前記タイマ部が計測した結果に基づき、前記入力部が入力を受け付けてから所定時間が経過するまでを前記携帯端末装置が使用されていると判断する。
【００１１】
本発明に係る携帯端末装置はさらに、前記判断部はさらに、前記表示部に備えられたバックライトが点灯しているとき、前記携帯端末装置が使用されていると判断するよう構成される
本発明に係る携帯端末装置はさらに、振動する振動部と、音を出力する音出力部と、を備え、前記第１報知態様とは、少なくとも前記音出力部からの音の出力、もしくは、前記振動部からの振動による報知の態様であり、前記第２報知態様とは、前記音出力部からの音の出力、及び、前記振動部からの振動を行わずに、前記表示部に情報を表示する報知の態様であるよう構成される。
【００１２】
本発明に係る携帯端末装置はさらに、前記検出部によりイベントがあることが検出され、かつ、前記報知態様の切替が有に設定されている場合であって、前記判断部により前記携帯端末装置が使用されていないと判断されたときは、報知を行わない。
【００１３】
本発明に係る携帯端末装置はさらに、前記判断部はさらに、少なくとも特定機能が実行されているか否かを判断し、前記判断部により前記携帯端末装置が使用されていると判断された場合に、前記特定機能が実行されていると判断されたとき、前記特定機能の終了後に前記第２報知態様にて前記イベントの報知を実行するよう構成される。
【００１４】
本発明に係る携帯端末装置はさらに、画像を撮影する撮影部をさらに備え、前記記憶部はさらに前記撮影部が撮影した画像を記憶し、前記特定機能は前記撮影部による画像の撮影機能であるよう構成される。
【００１５】
本発明に係る携帯端末装置はさらに、前記画像には少なくとも動画が含まれ、前記判断部はさらに、前記撮影機能が実行されてから、前記入力部より動画を前記記憶部へ記憶することを開始するための入力が受け付けられるまでは、前記特定機能は実行されていないと判断して、前記入力部より動画を前記記憶部へ記憶することを開始するための入力が受け付けられた後、前記記憶部への動画の記憶を終了するための入力が受け付けられるまでは前記特定機能が実行されていないと判断するよう構成される。
【００１６】
本発明に係る第２の態様のイベント報知プログラムは、表示部と、入力を受け付ける入力部とを備える携帯端末装置に備えられるプロセッサを、前記携帯端末が使用されているか否かを判断する判断処理と、イベントの発生を検出する検出処理と、少なくとも前記検出処理により検出されたイベントの発生を報知する報知態様、及び、前記報知態様の切替の有無を記憶する記憶処理と、前記検出部によって前記イベントの発生が検出された場合、前記記憶処理にて記憶された報知態様にて報知を実行する実行処理と、を備え、前記実行処理においてさらに、前記検出処理によりイベントの発生が検出され、かつ、前記設定処理により報知の切替が有に設定されている場合に、前記判断処理により前記携帯端末装置が使用されていると判断されたときは少なくとも前記表示部に情報を表示することにより報知するよう機能させるよう構成される。
【００１７】
本発明に係る第３の態様のイベント報知方法は、表示部と、入力を受け付ける入力部とを備える携帯端末装置に備えられるイベント報知方法であって、前記携帯端末が使用されているか否かを判断し、イベントの発生を検出し、少なくとも前記検出により検出されたイベントの発生を報知する報知態様、及び、前記報知態様の切替の有無を記憶し、前記検出によって前記イベントの発生が検出された場合、前記記憶された報知態様にて前記イベントの発生を報知し、前記イベントの発生が検出され、かつ、報知の切替が設定されている場合に、前記携帯端末装置が使用されていると判断されたときは、少なくとも前記表示部に情報を表示することにより報知するよう構成される。
【発明の効果】
【００１８】
本発明によれば、状況に応じて報知態様を変更してイベントの発生を報知することができる携帯端末装置、イベント報知プログラム、および、イベント報知方法を提供することができる。
【００１９】
本発明の効果ないし意義は、以下に示す実施の説明により明らかとなろう。ただし以下の実施の形態は、あくまでも本発明を実施化する際の一つの例示であって、本発明は、以下の発明の実施の形態に記載されたものになんら制限を受けるものではない。
【図面の簡単な説明】
【００２０】
【図１】実施の形態に係る携帯端末装置１００の外観図である。
【図２】実施の形態に係る携帯端末装置１００のブロック構成図である。
【図３】実施の形態に係る報知情報設定プログラム３４０のフローチャートである。
【図４】実施の形態に係るメール報知プログラム３５０のフローチャートである。
【図５】実施の形態に係るアラーム報知プログラム３６０のフローチャートである。
【図６】実施の形態に係るアドレス記憶部３７０に記憶されるアドレス情報の一例である。
【図７】実施の形態に係る表示部１１０に表示される情報の一例である。
【図８】実施の形態に係る表示部１１０に表示される情報の一例である。
【図９】実施の形態に係る表示部１１０に表示される情報の一例である。
【図１０】実施の形態に係る携帯端末装置１００の外観図である。
【図１１】実施の形態に係る携帯端末装置１００のブロック構成図である。
【図１２】実施の形態に係る表示部１１０に表示される情報の一例である。
【図１３】実施の形態に係るメール報知プログラム３５０のフローチャートである。
【発明を実施するための形態】
【００２１】
本発明の実施の形態に係る携帯端末装置１００は、ユーザーが携帯端末装置１００を操作している場合には、通常の報知態様とは異なる報知態様にてイベントを報知する。具体的には、ユーザーにとってあまり緊急性が低い予定の報知は、音や振動による報知は行わずユーザーが携帯端末装置１００を操作していると判断されたときに表示部１１０にメッセージを表示することによって行う。本発明によれば、緊急性の低い報知をユーザーの意図しない状況にも関わらず音や振動により行い周囲に迷惑を及ぼすことを防止できる。また、携帯端末装置１００がかばんなどに入れられており、ユーザーが即座に携帯端末装置１００を操作できない状態においては、必要以上に報知が行われることによって電力が消費されることを抑制することができる。
【００２２】
本発明の具体的な実施例について図１〜図１３を用いて説明する。
【００２３】
〔構成〕
図１〜図２を用いて携帯端末装置１００が備える構成について説明する。
【００２４】
図１は、携帯端末装置１００の外観図である。図１（１）は携帯端末装置１００の正面図であり、図１（２）は携帯端末装置１００の背面図である。図１に示す携帯端末装置１００の外観には、表示部１１０、タッチパネル入力部１２０、キー入力部１３０、音出力部１４０、音入力部１５０、発光部１６０、撮影部１９５が備えられている。
【００２５】
表示部１１０は、カラー表示を行うバックライト方式の液晶ディスプレイで構成され、液晶パネルと当該液晶パネルに光を照射するためにバックライトを備える。表示部１１０は制御部２３０から入力された制御信号に基づき文字、図形、記号、画像などの各種情報を表示する。表示部１１０は液晶ディスプレイ以外に限らず、例えば、有機ＥＬディスプレイであってもよいし複数のＬＥＤがマトリックス上に配列されたディスプレイであってもよい。
【００２６】
タッチパネル入力部１２０は、表示部１１０の表示画面上に配され、ユーザーからの画面操作を受け付ける。タッチパネル入力部１２０は、受け付けた画面操作を入力信号として制御部２３０に出力する。
【００２７】
キー入力部１３０は、携帯端末装置１００の複数個所に設けられ、キー入力部１３０（１）、(２)、(３)はユーザーからの操作を受け付ける。キー入力部１３０（１）、(２)、(３)が受け付けた入力は、入力信号として制御部２３０に出力される。キー入力部１３０（１）、（２）は、例えば、音量の調整、表示部１１０の輝度の調整、電源のオンオフの切り替えを行うための入力を受け付けるキーである。キー入力部１３０(３)は、例えば、表示部１１０に表示された画面を切り換えるためのキーである。以後、キー入力部１３０（１）、（２）、（３）を特に区別する必要がない場合にはまとめて「キー入力部１３０」と呼ぶことがある。さらにキー入力部１３０とタッチパネル入力部１２０を特に区別する必要がない場合はまとめて「入力部」ということにする。
【００２８】
音出力部１４０は、スピーカなどで構成され信号処理部２１０から出力されたアナログ信号に基づき外部に音を出力する機能を有する。
【００２９】
音入力部１５０は、マイクなどで構成され音声などの外部からの音をアナログ信号に変換して信号処理部２１０に出力する機能を有する。
【００３０】
発光部１６０は、ＬＥＤなどの発光素子により構成される。発光部１６０は制御部２３０から出力された制御信号によって外部へ光を照射する。発光部１６０は、電話の着信、メールの受信、アラーム日時到来などを、外部へ光を照射することにより報知する。
【００３１】
撮影部１９５は、動画や静止画を撮影する。撮影部１９５が取得した動画や静止画は、記憶部２４０に記憶される。具体的には、入力部が受け付けた入力に基づいて制御部２３０が撮影部１９５を起動して撮影機能が実行される。撮影機能が実行されると撮影部１９５より取得されたプレビュー画像が表示部１１０に表示される。静止画の撮影であれば、プレビュー画像が表示部１１０に表示されている場合に、入力部より静止画を記憶するための入力が受け付けられたとき、表示部１１０に表示された画像が記憶部２４０に記憶される。動画の撮影であれば、プレビュー画像が表示部１１０に表示されている場合に、入力部より動画の記録を開始するための入力が受け付けられると、動画の撮影が開始される。動画の撮影が開始されると動画が記憶部２４０へ一時的に記憶される。その後、入力部より動画の撮影を終了するための入力が受け付けられた場合、動画の撮影が終了される。動画の撮影が終了されたとき、入力部からの入力に基づき動画の記憶を確定するための入力があれば、記憶部２４０に撮影開始時点から終了時点までの動画が記憶される。撮影部１９５は例えば、ＣＣＤ（ＣＨＡＲＧＥ  ＣＯＵＰＬＥＤ  ＤＥＶＩＣＥ）カメラや、ＣＭＯＳ（ＣＯＭＰＬＥＭＥＮＴＡＲＹ  ＭＥＴＡL  ＯＸＩＤＥ  ＳＥＭＩＣＯＮＤＵＣＴＯＲ）カメラなどにより構成される。以下では、静止画と動画を特に区別して用いないときは、静止画と動画をまとめて「画像」ということにする。
【００３２】
図２は、携帯端末装置１００のブロック構成図である。図２に示す携帯端末装置１００は、タッチパネル１７０、タッチパネル入力部１２０、キー入力部１３０、アンテナ部１８０、無線部１９０、振動部２００、信号処理部２１０、音出力部１４０、音入力部１５０、発光部１６０、制御部２３０、記憶部２４０、電源部２２０により構成される。
【００３３】
図２に図示された構成について説明する。なお、図１に図示された構成と重複する構成については説明を省略する。
【００３４】
アンテナ部１８０は、所定の周波数の電磁波を受信して高周波信号として無線部１９０に出力する。また無線部１９０より出力された高周波信号を所定の周波数の電磁波として基地局へ出力する。
【００３５】
無線部１９０は、他携帯端末や基地局と無線通信を行う。無線部１９０はアンテナ部１８０から入力された所定の高周波信号に復調処理、及び、復号処理を施してデジタルの音声信号へと変換する。また、無線部１９０は、制御部２３０から入力されたデジタルの音声信号に符号化処理、及び、変調処理を行い高周波信号に変換してアンテナ部１８０へ出力する。さらに、本実施例の携帯端末装置１００は、メール機能を有しており、無線部１９０を介して他の携帯端末などとメールの送受信を行う。
【００３６】
振動部２００は、モーターによって構成され、制御部２３０から出力された制御信号によって機械的振動を生じさせる。振動部２００は、例えば、電話の着信、メールの受信、アラーム日時到来などを機械的振動によって報知する。
【００３７】
信号処理部２１０は、制御部２３０から出力されたデジタル信号をアナログ信号に変換して、変換したアナログ信号を音出力部１４０へ出力する。さらに、信号処理部２１０は音入力部１５０より入力されたアナログ信号をデジタル信号に変換して制御部２３０へ出力する。
【００３８】
電源部２２０は、リチウムイオン電池などの充放電可能な電池によって構成される。電源部２２０は携帯端末装置１００へ電力を供給する。
【００３９】
制御部２３０は、ＣＰＵ及びＤＳＰなどで構成される。制御部２３０は携帯端末装置１００に備えられた各構成要素を制御することによって携帯端末装置１００を統括的に管理して、各種機能を実行する。例えば、制御部２３０は、キー入力部１３０、または、タッチパネル入力部１２０が受け付けた入力に基づいて、携帯端末装置１００に備えられたメール機能、電話機能、アラーム報知機能などを実行する。さらに制御部２３０は、記憶部２４０に記憶されたプログラムを実行する。
【００４０】
ここで、プログラム記憶領域３２０に記憶されたプログラムを実行するために制御部２３０が備える構成について説明する。制御部２３０は実行部２５０、検出部２６０、判断部２７０、タイマ部３１０を備える。
【００４１】
実行部２５０は、記憶部２４０に記憶されたプログラムを実行する。
【００４２】
検出部２６０は、イベントの発生を検出する。検出部２６０が検出するイベントにはメ
ール受信、アラーム時刻の到来などが含まれる。以後、上記した設定時刻の到来、及び、メール受信を区別して使用しない場合はまとめて「イベント」と言うことにする。
【００４３】
判断部２７０は、さらに入力判断部２８０、端末使用判断部２９０、重要フラグ判断部３００、特定機能判断部３０５を備える。
【００４４】
入力判断部２８０は、入力部より受け付けられた入力の種別を判断する。例えば、判断部２７０は、入力部がユーザーより受け付けた入力が報知情報を設定するための入力であるか、メールを表示するための入力であるか、動画の撮影を開始、または終了するための入力であるかなどを判断する。
【００４５】
端末使用判断部２９０は、携帯端末装置１００が使用されているか否かを判断する。携帯端末装置１００が使用されているとは、入力部より入力が受け付けられてから所定時間以内である場合や、表示部１１０に備えられたバックライトが点灯している場合を含む。
【００４６】
重要フラグ判断部３００は、携帯端末装置１００が受信したメールに重要メールであることを示すフラグが付与されているか否かを判断する。また、重要フラグ判断部３００は、携帯端末装置１００に予め定められたキーワードが、受信したメールの本文や件名に含まれている場合、受信したメールに重要フラグが付与されていると判断する。キーワードには、例えば、「重要」、「早急」、「早く」などの文字列が含まれる。以後、入力判断部２８０、端末使用判断部２９０、重要フラグ判断部３００、特定機能判断部３０５を区別して使用しない場合は、まとめて「判断部２７０」と言うことにする。
【００４７】
特定機能判断部３０５は、携帯端末装置１００で特定の機能が実行されているか否かを判断する。特定機能判断部３０５が実行しているか否かを判断する特定機能には、撮影機能、メール機能が含まれる。
【００４８】
タイマ部３１０は、所定時間の経過を計測する。さらにタイマ部３１０は、現在時刻を計測する。ここでいう所定時間には、入力部より入力が受け付けられてからの時間や表示部１１０に備えられたバックライトが連続して点灯する時間などが含まれる。
【００４９】
記憶部２４０は、ＲＯＭ（Read Only Memory）、及び、ＲＡＭ（Random Access Memory）で構成される。記憶部２４０には、携帯端末装置１００で実行されるプログラムや、表示部１１０に表示される画像の情報や撮影部１９５が撮影した動画や画像などが記憶される。以下に記憶部２４０が有する特徴的な構成を説明する。
【００５０】
記憶部２４０にはプログラム記憶領域３２０と処理情報記憶領域３３０が備えられている。プログラム記憶領域３２０には、携帯端末装置１００にて実行されるプログラムが記憶されている。処理情報記憶領域３３０には、プログラムが実行された場合に処理される各種情報（下記にて説明）が記憶される。以後、プログラム記憶領域３２０と処理情報記憶領域３３０を区別しない場合はまとめて「記憶部２４０」ということにする。プログラム記憶領域３２０には、例えば、音声通信を行うための通話プログラム、ウェブサイトを表示するためのブラウザ、メールの作成、表示、送受信を行うためのメールプログラム等が記憶されている。さらに本発明に係る特徴的なプログラムとして、記憶部２４０にはメールやアラームの報知方法を設定するための報知情報設定プログラム３４０（図３）、メール受信時に報知処理を実行するためのメール報知プログラム３５０（図４）、予め設定した時刻が到来した場合に報知処理を実行するアラーム報知プログラム３６０（図５）が記憶されている。
【００５１】
処理情報記憶領域３３０にはアドレス記憶部３７０、報知情報記憶部３８０が備えられ
る。
【００５２】
アドレス記憶部３７０には、電話発信やメール送信を行うためのアドレス情報を含むアドレス帳が記憶される。アドレス情報とは、電話番号やメールアドレスなどを含む情報である。またアドレス情報には、図６に示すように電話番号やメールアドレスと関連付けて、例えば、氏名、メモリ番号、所属情報（例えば学校や仕事先などの所属に関する情報）などが記憶される。
【００５３】
報知情報記憶部３８０は、報知情報設定プログラム３４０にて設定された報知情報が記憶される。報知情報には、イベントの報知態様、イベント報知時に表示部１１０に表示される情報、報知切替設定の有無などが含まれる。
【００５４】
ここで、報知情報記憶部３８０に記憶される報知態様について詳しく説明する。イベント発生直後にイベントを報知するための態様を第１報知態様という。対して、イベント発生後で、かつ、携帯端末装置１００が使用されている場合に当該イベントの発生を報知するための態様を第２報知態様と定義する。第１報知態様で報知するか第２報知態様で報知するかはユーザーが予め設定し、その情報は報知切替設定の有無として報知情報記憶部３８０に記憶される。
【００５５】
第１報知態様は、イベント発生後に即座に確認を要するイベントの報知に対して設定される。第１報知態様では、イベント発生後、予め定めた少なくとも音、もしくは振動または光のうち一つの方法によりイベントの報知を実行する。
【００５６】
対して第２報知態様は、イベント発生後、即座に確認することを要しない緊急性が低い報知に対して設定される。第２報知態様では、イベント発生後、判断部２７０によって携帯端末装置１００が使用されていると判断されるまでは報知を実行せず、判断部２７０によって携帯端末装置１００が使用されていると判断されたときには、少なくとも表示部１１０に所定の情報を表示することによってイベントの発生を報知する。表示部１１０に表示される所定の情報には、予め入力した日付、時間、イベントの内容、受信メールの内容、受信メールの件数などが含まれる。
【００５７】
イベントがメール受信である場合はさらに、受信したメールの種類によって報知態様の変更の判断を行う。具体的には、イベントがメール受信を対象とする場合、判断部２７０が、携帯端末装置１００が使用されていないと判断した後、さらに、受信メールに重要メールフラグが付与されているか否かを判断する。そして、判断部２７０により受信メールに重要メールフラグが付与されていると判断された場合は、実行部２５０が第１の報知態様にて受信メールの発生を報知し、受信メールに重要メールフラグが付与されていない場合は、実行部２５０は第２報知態様にて受信メールの発生を報知する。上記態様では重要メールの判断を重要メールフラグが付与されているか否かに基づき判断することとしたが、アドレス記憶部３７０に記憶された所属情報やアドレスごとに携帯端末装置１００に記憶された情報に基づき判断することとしてもよい。例えば、アドレス記憶部３７０に図５に示すアドレス情報が記憶されている場合であれば、判断部２７０は、所属情報が会社に関連するアドレス（山田○○、佐藤○○）が送信元の受信メールは重要メールと判断し、所属情報が会社以外（鈴木○○）に関連するアドレスが送信元の受信メールは重要メールでないと判断することとしてもよい。
【００５８】
なお、上記では報知態様切替設定の有無はイベントごとにユーザーが予め設定することとしたが、ユーザーが報知切替設定を「有」にしたか否かに関わらず携帯端末装置１００に設定されるモードに基づき一括して報知切替設定の有無を切り換えることとしてもよい。具体的には、携帯端末装置１００が通常モードに設定されている場合は報知切替設定が「無」に設定され、所定の機能が制限されるマナーモードに設定されている場合は報知切替設定が「有」に設定されていることとしてもよい。このような態様とすることにより、ユーザーは予め設定を行うことなく報知切替設定の有無を容易に変更することができる。
【００５９】
〔第１の実施例〕
次に、実行部２５０が実行する報知情報設定プログラム３４０について図３のフローチャートに基づき説明する。
【００６０】
はじめに、入力部より報知設定を行うための入力が行われた場合、実行部２５０が報知情報設定プログラム３４０を実行し、図７（１）に示すような報知設定画面を表示部１１０に表示する（Ｓ１００）。
【００６１】
次に判断部２７０は、入力部が受け付けた入力が、メールもしくはアラームのいずれの報知設定を実行するための入力であるかを判断する（Ｓ１１０）。
【００６２】
Ｓ１１０の処理においてメールの報知設定が選択された場合、第１報知態様に関する情報の設定を行う（Ｓ１２０）。第１報知態様に関する情報とは、図７（２）に示すように、例えば、メール受信時に音出力部１４０からの音の出力による報知の有無、振動部２００による振動による報知の有無、発光部１６０からの発光による報知の有無などが含まれる。
設定された情報は報知情報記憶部３８０に記憶される。
【００６３】
次に判断部２７０は報知切替設定が「有」に設定、または、変更されたか否かを判断する（Ｓ１３０）。本実施例では、初期状態において、報知切替設定は「無」に設定されていることとする。
【００６４】
判断部２７０は、報知切替設定が「有」に設定されていると判断した場合、入力部が受け付けた入力に基づき第２報知態様で報知を行うための情報を設定する（Ｓ１４０）。第２報知態様で報知を行うための情報としては例えば、受信したメールに関連する情報のうち、受信件数、受信メールの内容、受信メールの件名、メールの送信者名などのいずれの情報を表示部１１０に表示するかを設定する。設定された情報は報知情報記憶部３８０に記憶される。
【００６５】
一方、判断部２７０が、報知切替設定が「有」に設定されていないと判断した場合、報知切替設定を「無」に設定する（Ｓ１４５）。
【００６６】
次に判断部２７０が、設定を終了するための入力が入力部より受け付けられたか否かを判断し（Ｓ１５０）、受け付けられたと判断した場合は、報知設定処理を終了し、受け付けられなかった場合は、Ｓ１２０の処理に戻る。
【００６７】
Ｓ１３０の処理において、報知切替設定が「無」に設定されていると判断部２７０が判断した場合、Ｓ１４０の処理は行わずＳ１５０の処理を実行する。
【００６８】
Ｓ１１０の処理において、アラームの報知設定が選択された場合、入力部よりアラーム時刻の設定の入力（Ｓ１６０）、及び、第１報知態様に関する情報の入力を受け付ける（Ｓ１７０）。第１報知態様に関する情報としては、図７（３）に示すように、例えば、アラームの報知時に音出力部１４０からの音の出力による報知の有無、振動部２００による振動による報知の有無、発光部１６０からの発光による報知の有無などが含まれる。設定された情報は報知情報記憶部３８０に記憶される。
【００６９】
次に判断部２７０は報知切替設定が「有」に設定、または、変更されたか否かを判断する（Ｓ１８０）。本実施例では、初期状態においては報知切替設定が「無」に設定されていることとする。
【００７０】
判断部２７０により、報知切替設定が「有」に設定されていないと判断した場合、報知切替設定を「無」に設定する（Ｓ１８５）。
【００７１】
一方、判断部２７０により報知切替設定が「有」に設定されていると判断された場合、入力部より第２報知態様にて報知を行うための情報の入力を受け付けて設定する（Ｓ１９０）。第２報知態様で報知を行うための情報としては、例えば、アラーム報知時に表示部１１０に表示するアラームの内容に関するテキスト情報やアラーム日時の表示の有無などが含まれる。設定された情報は報知情報記憶部３８０に記憶される。
【００７２】
次に判断部２７０が、設定を終了するための入力が入力部より受け付けられたか否かを判断し（Ｓ２００）、受け付けられたと判断した場合は、報知設定処理を終了し。受け付けられなかった場合は、Ｓ１６０の処理に戻る。
【００７３】
報知切替設定が「無」に設定されていると判断部２７０が判断した場合、Ｓ１９０の処理は行わずＳ２００の処理を実行する。
【００７４】
次に図４のフローチャートを用いて実行部２５０により実行されるメール報知プログラム３５０について説明する。
【００７５】
まず検出部２６０が無線部１９０からのメールの受信の有無を定期的に検出する（Ｓ３００）。
【００７６】
検出部２６０がメールの受信を検出した場合、判断部２７０は報知切替設定の有無を判断する（Ｓ３１０）。
【００７７】
Ｓ３１０において判断部２７０により報知切替設定が「有」と判断された場合、次に判断部２７０は携帯端末装置１００が使用されているか否かを判断する（Ｓ３２０）。
【００７８】
Ｓ３２０において、判断部２７０が、携帯端末装置１００が使用されていると判断した場合、実行部２５０は報知情報記憶部３８０に記憶された第２報知態様に基づきメール受信の報知を実行する（Ｓ３３０）。表示部１１０に表示されることにより報知される情報の一例を図８に示す。
【００７９】
次に、第２報知態様にてメールの受信が報知されている場合に、入力部より表示部１１０に表示された情報を消去する入力が受け付けられたか否かを判断部２７０が判断する（Ｓ３４０）。
【００８０】
入力部より表示部１１０に表示された情報を消去する入力が受け付けられたと判断部２７０が判断した場合、実行部２５０は表示部１１０に表示された情報を消去し（Ｓ３５０）、メール受信の報知前に表示部１１０に表示されていた画面を表示部１１０に表示して処理を終了する（Ｓ３６０）。
【００８１】
Ｓ３２０の処理において、判断部２７０により携帯端末装置１００が使用されていないと判断された場合、判断部２７０が受信したメールに重要メールのフラグが付与されているか否かを判断する（Ｓ３７０）。
【００８２】
判断部２７０が受信したメールに重要メールフラグが付与されていないと判断しなかった場合、実行部２５０はＳ３９０の処理を実行する。
【００８３】
判断部２７０が受信したメールに重要メールフラグが付与されていると判断した場合、判断部２７０はタイマ部３１０により計測されたメールを受信してからの経過時間が所定時間に達したか否か判断する（Ｓ３８０）。
【００８４】
判断部２７０がメールを受信してからの経過時間が所定時間を経過していると判断した場合、実行部２５０は報知情報記憶部３８０に記憶された第１報知態様にてメールの受信を報知する（Ｓ３９０）。
【００８５】
Ｓ３９０の処理において受信メールの発生が報知されている場合、判断部２７０は入力部より報知を停止するための入力が受け付けられたか否かを判断し（Ｓ４００）、停止するための入力が受け付けられた場合、実行部２５０は報知の実行を停止する（Ｓ４１０）。
【００８６】
Ｓ４００の処理において、判断部２７０が停止するための入力が受け付けられていないと判断した場合、実行部２５０はＳ３９０の処理を継続する。
【００８７】
〔アラーム報知プログラム３６０の処理〕
次に図５のフローチャートを用いて実行部２５０により実行されるアラーム報知プログラム３６０について説明する。
【００８８】
まず、判断部２７０が報知情報記憶部３８０にアラームの設定が記憶されているか否かを判断する（Ｓ５００）。次に検出部２６０が、タイマ部３１０により計測される現在時刻と設定されたアラームの報知時刻とを比較して、アラーム報知時刻の到来を検出する（Ｓ５１０）。
【００８９】
判断部２７０は報知情報記憶部３８０に記憶された情報に基づき報知切替の設定の有無を判断する（Ｓ５２０）。
【００９０】
判断部２７０により報知切替の設定が「有」に設定されていると判断された場合は、次に判断部２７０は携帯端末装置１００が使用されているか否かを判断する（Ｓ５３０）。
【００９１】
Ｓ５３０の処理において、判断部２７０により携帯端末装置１００が使用されていると判断された場合、実行部２５０は、報知情報記憶部３８０に記憶された第２報知態様にてアラームの報知を実行する（Ｓ５４０）。表示部１１０に表示されるアラームの報知情報の一例を図９に示す。
【００９２】
次に、第２報知態様に基づきアラーム時刻の到来が報知されている場合、判断部２７０は入力部より表示部１１０に表示された情報を消去する、つまり、アラームの報知を停止する入力が受け付けられたか否かを判断する（Ｓ５５０）。
【００９３】
判断部２７０が、入力部より表示部１１０に表示された情報を消去する入力が受け付けられたと判断した場合、実行部２５０は表示部１１０に表示された情報を消去する（Ｓ５６０）
そして実行部２５０は、アラーム時刻の到来の報知前に表示部１１０に表示されていた画面を表示部１１０に表示して処理を終了する（Ｓ５７０）。
【００９４】
Ｓ５３０の処理において、判断部２７０により携帯端末装置１００が使用されていない
と判断された場合、次に判断部２７０は、アラーム時刻の到来の報知を開始してから所定時間が経過しているか否かをタイマ部３１０が計測した結果に基づき判断する（Ｓ５８０）。
【００９５】
判断部２７０が、アラームを報知してからの経過時間が所定時間を経過していると判断した場合、実行部２５０は報知情報記憶部３８０に記憶された第１報知態様にてアラームを報知する（Ｓ５９０）。
【００９６】
Ｓ５９０の処理において実行部２５０によりアラーム時刻の到来が報知されている場合、判断部２７０は入力部より報知を停止するための入力が受け付けられたか否かを判断する（Ｓ６００）。
【００９７】
そして判断部２７０が、入力部より報知を停止するための入力が受け付けられたと判断した場合、実行部２５０は報知を停止し（Ｓ６１０）、Ｓ５７０の処理を実行する。
【００９８】
一方、Ｓ６００の処理において、判断部２７０が入力部より報知を停止するための入力が受け付けられていないと判断した場合、実行部２５０はＳ５９０の処理を継続する。
【００９９】
本発明の上記した実施例では、例えば、親が子供に持たせた携帯端末装置１００に予めアラームを設定し、アラームの設定された時間に子供が携帯端末装置１００を操作（使用）すると、例えば予め設定された「そろそろ家に帰る時間ですよ。」との情報が表示部１１０に表示される。上記の場合、子供が自身で携帯電話を操作した時にアラームの報知が行われるため、友達との会話等の子供の周囲の雰囲気に配慮した報知が行われる。しかしながら、子供が携帯端末装置１００を操作しなかった場合、アラームに気づかない場合があるかもしれない。そこで、アラーム報知時間からアラーム設定時に予め定められた時間を過ぎたときは、表示部１１０に表示される情報の内容を変更することとしてもよい。例えば、アラーム報知時間より所定時間内に携帯端末装置１００が使用されている場合は、「そろそろ家に帰る時間ですよ。」と表示部１１０に表示され、所定時間を越えると、「早く帰ってきなさい。」のように表示部１１０に表示される情報を切り換えることとしてもよい。さらに、上記のように表示部１１０に表示された情報を変更すると共に、音や振動や光による報知を実行することとしてもよい。なお、所定時間、及び、所定時間を越えた場合に切り換えられる情報は報知情報記憶部３８０に記憶される。上記した態様によれば、ユーザーが予め設定されたアラームに確実に気づくことができる効果を奏する。
【０１００】
〔第２の実施例〕
本発明は図１０に示すような折り畳み型の携帯端末装置１００に適用することとしてもよい。具体的な実施例について以下に説明する。以下では実施例１と共通する構成の符号は同じ符号を付し、説明を省略する。
【０１０１】
本実施例に係る携帯端末装置１００は図１の構成に加えて、図１０に示すように筐体１
３８２、筐体２  ３８４、開閉部３８６を備える。図１０（１）、は携帯端末装置１００が開かれた状態の正面図であり、筐体１  ３８２には表示部１１０、筐体２  ３８４にはキー入力部１３０が備えられており、開閉部３８６により折り畳み可能に接続されている。
【０１０２】
本実施例に係る携帯端末装置１００はさらに図１１に示すように、図２に示す構成に加えて開閉検出部２６５、開閉情報記憶部３９０を備える。
【０１０３】
開閉検出部２６５は開閉部３８６により端末が図１０（１）、（２）に示すような開状態から図１０（３）に示すような閉状態、また閉状態から開状態に開閉状態が変更された
ことを検出する。開閉検出部２６５が検出した開閉情報は開閉情報記憶部３９０に記憶される。
【０１０４】
さらに、端末使用判断部２９０は実施例１の構成に加えて、開閉検出部２６５が検出した情報に基づき携帯端末装置１００が使用されているか否かを判断する。具体的には、携帯端末装置１００が開状態となっている場合、端末使用判断部２９０は、携帯端末装置１００が使用されていると判断し、携帯端末装置１００が閉状態となっている場合は携帯端末装置１００が使用されていないと判断する。
【０１０５】
本実施例に係る携帯端末装置１００は、状況に応じてユーザーの所望する報知態様にてイベントの報知を実行することができる。
【０１０６】
〔第３の実施例〕
図４に示したメール報知プログラム３５０の変形例を図１３に示す。図４と異なる点はＳ３２２、Ｓ３２４の処理を実行する点である。以下では図４と異なる処理を具体的に説明する。
【０１０７】
図１３に示すＳ３２０の処理にて、判断部２７０が、携帯端末装置１００が使用されていると判断した場合、判断部２７０（ここでは特定機能判断部３０５）は、携帯端末装置１００で特定機能が実行されているか否かを判断する（Ｓ３２２）。
【０１０８】
携帯端末装置１００で特定機能が実行されている場合、実行部２５０は特定機能が終了されるまで報知の実行を行わず待機し（Ｓ３２４）、特定機能が終了されると実行部２５０は第２報知態様にてメールの受信を報知する（Ｓ３３０）。
【０１０９】
また、携帯端末装置１００で特定機能が実行されていない場合も、実行部２５０は第２報知態様にてメールの受信を報知する（Ｓ３３０）。
【０１１０】
判断部２７０が、特定機能が終了されたと判断した場合、実行部２５０は第２報知態様にてメールの受信を報知する。特定機能が携帯端末装置１００にて終了されていないと判断部２７０が判断したときは、Ｓ３２２の処理を再度実行する。
【０１１１】
上記した実施例によれば、例えば、特定機能が撮影機能であると、撮影中にメールが受信されたときは撮影の終了後にメールの受信を第２報知態様にて報知する。例えば、特定機能がメール作成機能であれば、メール作成機能の終了後にメールの受信を第２報知態様にて報知することができる。このような態様により、携帯端末装置１００にて特定機能が実行されている場合、ユーザーは特定機能の利用が妨げられることがないタイミング（特定機能の終了後）でメール受信の報知を受けることができる効果を奏する。
【０１１２】
なお、特定機能が撮影機能であり動画の撮影を対象とした場合、判断部２７０は、撮影機能が実行され、プレビュー画像が表示されて、入力部より動画の記憶を開始するための入力が受け付けられる前までは、特定機能が実行されていないと判断することとしてもよい。さらに、判断部２７０は、入力部より動画の記憶を開始するための入力が受け付けられてから動画の記憶を終了する入力が受け付けられるまでの間を、特定機能が実行されていると判断することとしてもよい。上記した場合は、撮影機能が実行され、プレビュー画像が表示されて、入力部より動画の記憶を開始するための入力が受け付けられる前までは、第２の報知態様にて報知が実行され、入力部より動画の記憶を開始するための入力が受け付けられてから動画の記憶を終了する入力が受け付けられるまでの間は実行部２５０によりメール受信の発生の報知は実行されない。このような態様により、ユーザーは、動画の記憶の実行を妨げられることがないタイミングでメールの受信の報知を受けることができる効果を奏する。
【０１１３】
なお、第３の実施例では、メール報知プログラム３５０の変形例について説明したが、同様の変形例をアラーム報知プログラム３６０に対しても適用することとしてもよい、具体的には、上記した、Ｓ３２２とＳ３２４の処理を、図５に示すＳ５３０（図１３のＳ３２０の処理に対応）、図５に示すＳ５４０（図１３のＳ３３０の処理に対応）の間に適用する。
【０１１４】
〔その他の実施例〕
その他の実施例について以下に説明する。
【０１１５】
メールを複数受信した場合に第２報知態様にてメールの受信を報知する場合、表示部１１０に表示された受信メールに関する報知情報を入力部からの入力に基づき切り換えることができてもよい。具体的には、メール受信の報知時に図１２に示す画面が表示部１１０に表示されている場合、画面上の「次へ」を入力部により選択することにより受信したメールに関する報知情報を順次切り換えることができてもよい。例えば図１２に示す画面が表示部１１０に表示されている状態で「次へ」が選択されると、メール受信件数３件のうちの１件目から２件目の表示へ表示部１１０の表示が切り替えられる。なお、表示部１１０に表示される「次へ」の項目は受信メールが１つである場合は表示されないこととしてもよい。
【０１１６】
第２報知態様にてメールの受信が報知された場合に表示部１１０に情報が表示されているとき、報知されたメールに対して返信する処理を実行することができてもよい。図１２に示すような情報が表示部１１０に表示されている場合において、ユーザーによる入力部からの入力に基づいて画面内の「返信」が選択された場合、当該メールの送信者の宛先が入力された返信メールの作成画面が表示部１１０に表示される。ユーザーは、表示部１１０に表示された返信メールの作成画面に入力部により文字を入力することによりメールを作成することができる。本実施例では、第２報知態様にて受信したメールの報知を受けて即座にメール返信を実行することができるため、ユーザーの利便性が向上する効果を奏する。
【０１１７】
第２報知態様にてイベントの報知が実行されている場合に、判断部２７０により携帯端末装置１００が所定回数使用されたと判断された場合、報知を停止するための入力に関わらず第２報知態様による報知を停止することとしてもよい。また、開閉検出部２６５により携帯端末装置１００が開状態から閉状態、もしくは、閉状態から開状態へと状態が変化されたと所定の回数判断した場合、報知を停止するための入力に関わらず第２報知態様による報知を停止することとしてもよい。本実施例によれば、例えば、ユーザーが表示部１１０に表示された情報を所定回数確認した場合、ユーザーが操作することなく表示部１１０に表示された情報が消去される。上記した所定の回数は報知情報記憶部３８０に記憶される。上記実施例では表示部１１０に表示された情報を消去するための煩わしい操作を行うことなく報知を停止することができる効果を奏する。
【０１１８】
なお、例えば、ユーザーが消費電力や周囲状況などを気にする必要が無いと判断したときは、第１の報知態様と、第２の報知態様とを同一とすることとしてもよい。
【０１１９】
第２の実施例では折り畳み型の携帯端末装置に関する実施例を説明したが、同様の実施例をスライド型の携帯端末に適用することとしてもよい。
【０１２０】
また、本実施例で説明した複数のプログラムは、データ配信用のサーバのＨＤＤに記憶され、ネットワークを介して携帯端末装置１００に配信されてもよい。また、ＣＤ，ＤＶ
Ｄ，ＢＤ（Ｂｌｕ−ｒａｙ  Ｄｉｓｃ）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、当該複数のプログラムが本実施例と同等の構成を備える電子文書端末にインストールされた場合、本実施例と同等の効果が得られる。
【０１２１】
さらに、本実施例は、上記実施例に限らず、いわゆるスマートフォンやＰＤＡ（Ｐｅｒｓｏｎａｌ  Ｄｉｇｉｔａｌ  Ａｓｓｉｓｔａｎｔ）やノートブック型ＰＣなどに適用されてもよい。
【符号の説明】
【０１２２】
携帯端末装置１００
表示部１１０
タッチパネル入力部１２０
キー入力部１３０
音出力部１４０
音入力部１５０
発光部１６０
タッチパネル１７０
アンテナ部１８０
無線部１９０
振動部２００
信号処理部２１０
電源部２２０
制御部２３０
記憶部２４０
実行部２５０
検出部２６０
開閉検出部２６５
判断部２７０
入力判断部２８０
端末使用判断部２９０
重要フラグ判断部３００
タイマ部３１０
プログラム記憶領域３２０
処理情報記憶領域３３０
報知情報設定プログラム３４０
メール報知プログラム３５０
アラーム報知プログラム３６０
アドレス記憶部３７０
報知情報記憶部３８０
筐体１  ３８２
筐体２  ３８４
開閉部  ３８６
開閉情報記憶部３９０
【図１】
0005864181.tif 000002
【図２】
0005864181.tif 000003
【図３】
0005864181.tif 000004
【図４】
0005864181.tif 000005
【図５】
0005864181.tif 000006
【図６】
0005864181.tif 000007
【図７】
0005864181.tif 000008
【図８】
0005864181.tif 000009
【図９】
0005864181.tif 000010
【図１０】
0005864181.tif 000011
【図１１】
0005864181.tif 000012
【図１２】
0005864181.tif 000013
【図１３】
0005864181.tif 000014